Podtech/llm-jp-corpus-v4-ja_patent huggingface dataset:
(57)【要約】      （修正有）【課題】炭酸カルシウムなどの無機鉱物粉末を含有した素材を使用することにより燃焼時に排出されるＣＯ２の量を削減できる容器を提供する。【解決手段】炭酸カルシウムをはじめとする無機鉱物粉末の含有量が多い合成紙シートにポリエチレン、ポリプロピレン、ナイロン、ポリエステルなどの合成樹脂製フィルムをラミネートにより蓄層することで合成紙の厚みを抑え、尚且つ必要な剛性を得られるうえ、燃焼時のＣＯ２が削減されることにより環境に優しいことを特徴とする合成紙による容器。【選択図】図１
0003146349.tif 000002
【実用新案登録請求の範囲】
【請求項１】
炭酸カルシウムなどの無機鉱物粉末を６０％〜８０％含有した合成紙をラミネートにより蓄層した合成紙を成型してなる容器類。
【請求項２】
炭酸カルシウムを６０％〜８０％含有した合成紙に合成樹脂製フィルムをラミネートしてなる請求項１記載の容器類。
【請求項３】
圧空真空成型により成型された請求項１記載の容器類。
【請求項４】
真空圧空成型により成型された請求項１記載の容器類。
【請求項５】
合成樹脂製フィルムに図柄などを印刷してなる請求項１記載の容器類。
【考案の詳細な説明】
【技術分野】
【０００１】  本考案は、食品容器、飲料容器、その他の容器に関する。
【背景技術】
【０００２】  弁当、冷凍食品、インスタント食品、飲料等を販売する際、合成樹脂製の簡易容器が用いられるのが一般的である。製造にはインジェクション、ブロー成型及び圧空、真空圧空成型の方法が用いられるが、圧空、真空圧空成型においてはそのほとんどで合成樹脂製シートが広く利用されている。【０００３】  ところで近年は消費者や企業において環境保全への意識が高く、プラスティック製品においても環境に配慮したものへの需要が高い。特に京都議定書をはじめとする国際的なＣＯ２の排出量が滅減される商品が求められている。
合成樹脂製シートは廃棄時産業廃棄物として容器リサイクル法のもとリサイクルが必要づけられているが、リサイクル製品は剛性が弱く、割れやすいという欠点を持っているため、シートの厚みを必要以上に上げざるを得ず、ＣＯ２排出を増大させているのが現状である。又廃棄時、食べ残し等の一般ゴミとの分別に消費者の煩わしさがあり、リサイクルに多大な人的コストが必要となっている。
【考案の開示】
【考案が解決しようとする課題】
【０００４】  本考案は、上記問題点の解決を図り、炭酸カルシウムなどの無機鉱物粉末を含有した素材を使用することにより燃焼時に排出されるＣＯ２の量を削減できる容器を提供することを目的とする。
【課題を解決するための手段】
【０００５】  本考案者は、炭酸カルシウムをはじめとする無機鉱物粉末の含有量が多い合成紙シート（以下合成紙という）は、従来の合成紙に比べて安価で燃焼時にＣＯ２の排出量が削減できるということに着目し、この合成紙にポリエチレン、ポリプロピレン、ナイロン、ポリエステルなどの合成樹脂製フィルムをラミネートにより蓄層することで合成紙の厚みを抑え、尚且つ必要な剛性が得られるという知見から本考案をなすに至った。
【考案の効果】
【０００６】  本考案の合成紙による容器は、合成樹脂製シートに代わり、炭酸カルシウムなどの無機鉱物粉末を含有した素材と合成樹脂製フィルムをラミネートすることにより、合成紙の厚みを抑え、尚且つ必要な剛性がえられる上、燃焼時に排出されるＣＯ２の量を削減できる為、地球環境に優しい容器を提供するものである。
【実施例】
【０００７】  本考案の合成紙による容器は、炭酸カルシウムなどの無機鉱物粉末を６０％〜８０％含有した合成紙と、ポリエチレン、ポリプロピレン、ナイロン、ポリエステルなど、適宜選択された合成樹脂製フィルムをラミネートにより蓄層し、圧空真空成型、または真空圧空成型の方法で成型するのが最適である。
【図面の簡単な説明】
【０００８】
【図１】  本考案の合成紙による容器の一態様の断面図である。
【図２】  本考案の合成紙による容器の一態様の断面図である。
【図３】  本考案の合成紙による容器の一態様の斜視図である。
【符号の説明】
【０００９】  １．合成樹脂製フィルム
２．炭酸カルシウムをはじめとする無機鉱物粉末の含有量が多い合成紙シート
３．ＰＥラミネート
【図１】
0003146349.tif 000003
【図２】
0003146349.tif 000004
【図３】
0003146349.tif 000005
(57)【要約】      （修正有）【課題】現在マスク自体をフィルター材とした炭粉を利用した有効的な物がない為、機能的且つ手軽で合理的なマスクを提供する。【解決手段】炭粉を主原料とする塗布液を紙又は不織布又は布に塗布する事を特徴とするマスクであり、マスク自体をフィルターとすることによって機能を高め、合理的でありマスク自体を平面的、立体的に容易に加工が出来、且つ塗布液の炭粉の重量含有量を調節する事で合理的、且つ効果的に使い分けても活用できる。【選択図】図２
0003146342.tif 000002
【実用新案登録請求の範囲】
【請求項１】
炭粉を主原料とする塗布液を紙又は不織布又は布に塗布した構造であることを特徴とするマスク。
【請求項２】
前記塗布液の炭粉の重量含有割合が５０％〜９７％であることを特徴とする請求項１記載のマスク。
【請求項３】
前記の炭粉の粒径が０．０３ｍｍ〜０．３ｍｍであることを特徴とする請求項１記載のマスク。
【考案の詳細な説明】
【技術分野】
【０００１】  本考案は花粉飛散時、空気汚染時、その他空気感染症流行時等に口、鼻部分に装着使用する炭粉を利用したマスクに関するものである。
【背景技術】
【０００２】  従来からマスクのフィルター材にガーゼ、高性能不織布、高密度フィルターを利用したり又炭粉を包んでフィルター材とするマスクは有る。
【考案の開示】
【考案が解決しようとす課題】
【０００３】  しかし、これでは部分保護でフィルターのない部分やズレを生じる場合が多く保護の役割を果たせない事が多く機能は十分果たせない。
【０００４】  本考案は、従来の技術の有するこのような問題点を鑑みてなされたものであり、その目的とするところはマスク自体をフィルターとすることによって、機能を高め、安全で、手軽で、安価に提供できる。
【考案が解決しようとす手段】
【０００５】  そこで本考案はこの課題を解決する為に請求項１の考案はマスク本体が炭粉を主原料とする塗布液を塗布した２層構造であるマスクを考案した。
【考案の効果】
【０００６】  本考案の炭粉を主原料とする塗布液を塗布した紙又は不織布又は布のマスクは口、鼻等全面を保護することが可能であり本体をそのままマスクとして加工でき手軽で、合理的、且つ有効的に微細な物質、ウイルス等に対応でき優れた予防効果を得ることができる。
【考案を実施する為の最良の形態】
【０００７】  本考案は紙又は不織布又は布等の基材に炭粉の塗布液を均等に塗布しマスク本体をフィルターとして機能性に優れ有効的で平面的、立体的な形状に加工する事を容易にし且つ塗布液の炭粉の重量含有量を１ｍ２当り２０ｇ〜２００ｇで炭粉の重量含有が大きい程微細な科学物質、ウイルス等に有効的であり合理的に使用目的によって使い分けることもできる。
【実施例】
【０００８】  以上添付図面に従って実施例を説明する。
図１は本考案の長方形のマスクを装着した例でありマスク基材２の表面に炭粉塗布液３が均等に塗布されて２層構造になっている、マスクの形状は円形や立体的であろうが、又炭粉塗布面を表にしても裏にしても可能であり本考案の機能を果たすものである。
図２は本考案の長方形のマスクを装着した断面図である。
図３は本考案の炭粉の塗布液を基材に塗布した断面図である。
【図面の簡単な説明】
【０００９】
【図１】本考案の一般的な長方形マスクを装着した図である。
【図２】本考案の一般的な長方形マスクを装着した断面図である。
【図３】本考案のマスク本体の断面図である。
【符号説明】
【００１０】  １  マスク
２  基材
３  炭粉塗布液
【図１】
0003146342.tif 000003
【図２】
0003146342.tif 000004
【図３】
0003146342.tif 000005
(57)【要約】      （修正有）【課題】小型で軽く、保管スペースが小さく、飾り付けにあまり力を要しないですむ、多くの一般家庭でも利用しやすい安価な盆飾りを提供する。【解決手段】直方体状の台１の上面に花瓶置き部４と直方体状の支柱支持部２を設ける。台１と支柱支持部２の材質は木材が好ましい。直方体状の台１の上面の花瓶置き部４の面積は支柱支持部２の占める面積より大きくする。支柱支持部２の上面に支柱挿入穴３を設ける。支柱挿入穴３の口径は支柱の太さよりやや広くする。支柱挿入穴３の深さはなるべく深くする。【選択図】図１
0003146350.tif 000002
【実用新案登録請求の範囲】
【請求項１】
（イ）直方体状の台１の上面に花瓶置き部４と直方体状の支柱支持部２を設ける。（ロ）支柱支持部２の上面に支柱挿入穴３を設ける。  以上のごとく構成された、支柱（笹竹）を固定させる盆飾り用の台。
【考案の詳細な説明】
【技術分野】
【０００１】  この考案は、支柱（笹竹）を固定させる盆飾り用の台に関するものである。
【背景技術】
【０００２】  この考案は、登録番号：登録実用新案第３１１６４２５号を改良したものである。以後、登録番号：登録実用新案第３１１６４２５号は前考案という。
【考案の開示】
【考案が解決しようとする課題】
【０００３】  図３に示すように、前考案には、次のような欠点がある。１：台３１の両脇に支柱支持部３５、３６が固定されているため、支柱支持部３５と支柱支持部３６の間に納まる範囲内の盆飾りしか使用できない。２：支柱支持部３５、３６は使用するが中陰段脚固定枠３２、３３を使用しない中陰段もある。  本考案は、これらの欠点を解決するためになされたものである。
【課題を解決するための手段】
【０００４】  図１で示すように、（イ）直方体状の台１の上面に花瓶置き部４と直方体状の支柱支持部２を設ける。（ロ）支柱支持部２の上面に支柱挿入穴３を設ける。  本考案は、以上のごとく構成された、支柱１１を固定させる盆飾り用の台である。
【考案の効果】
【０００５】  本考案により次の効果を生む。１：支柱支持部３５と支柱支持部３６の間合いを自由に取れるので、その家にあった盆飾りができる。２：支柱支持部３５と支柱支持部３６は同じ形状であり、かつ、前考案に比べて、台３１や中陰段脚固定枠３２、３３を使用しないので、製造がしやすく材料費も軽減できる。３：前考案に比べて、小型で軽く、保管スペースが小さく、飾り付けにあまり力を要しないですみ、多くの一般家庭でも利用しやすくなる。
【考案を実施するための最良の形態】
【０００６】  以下、本考案を実施するための最良の形態を説明する。  図１で示すように、本考案は次の構成よりなっている。（イ）直方体状の台１の上面に花瓶置き部４と直方体状の支柱支持部２を設ける。（ロ）支柱支持部２の上面に支柱挿入穴３を設ける。  それを次に詳しく説明する。【０００７】  （イ）の「直方体状の台１の上面に花瓶置き部４と直方体状の支柱支持部２を設ける。」を説明する。台１と支柱支持部２の材質は木材が好ましい。直方体状の台１の上面の花瓶置き部４の面積は支柱支持部２の占める面積より大きくする。【０００８】  次に（ロ）の「支柱支持部２の上面に支柱挿入穴３を設ける。」を説明する。支柱挿入穴３の口径は支柱１１の太さよりやや広くする。支柱挿入穴３の深さはなるべく深くする。
【使用例】
【００１０】  本考案は、次のように使用する。（図２参照）１：机１６を置きその両脇に本考案を置く。このとき、支柱支持部２は奥に、花瓶置き部４は手前になるように置く。２：支柱挿入穴３に支柱１１ａ、ｂを挿入する。３：支柱１１ａと支柱１１ｂの間に横棒１２を取り付ける。４：花瓶置き部４に花瓶２０を置く。
【図面の簡単な説明】
【００２０】
【図１】は、本考案の斜視図である。
【図２】は、本考案を使用した盆飾りの正面図である。
【図３】は、前考案の盆飾りの斜視図である。
【符号の説明】
【００３０】１台    ２支柱支持部    ３支柱挿入穴    ４花瓶置き部    １１ａ支柱１１ｂ支柱    １２横棒    １３飾り    １４笹    １５屏風    １６机２０花瓶    ３１台    ３２中陰段脚固定枠    ３３中陰段脚固定枠３４支柱支持部    ３５支柱支持部    ３６支柱挿入穴    ３７支柱挿入穴
【図１】
0003146350.tif 000003
【図２】
0003146350.tif 000004
【図３】
0003146350.tif 000005
(57)【要約】      （修正有）【課題】必要まときに電力が取り出せ、廃棄による公害も起きず、信頼性が高い電源装置を提供する。【解決手段】電源装置は、水と反応して発熱する物質が配置された第１容器５ａと、水と反応して吸熱する物質が配置された第２容器５ｂと、前記第１容器５ａと前記第２容器５ｂとの間に挟まれた熱電変換素子７とを備えている。前記水と反応して発熱する物質が粉体アルミナであり、前記水と反応して吸熱する物質が尿素であることが好ましい。【選択図】図１
0003146388.tif 000002
【実用新案登録請求の範囲】
【請求項１】
水と反応して発熱する物質が配置された第１容器と、
水と反応して吸熱する物質が配置された第２容器と、
前記第１容器と前記第２容器との間に挟まれた熱電変換素子と、
を備えている熱発電型電源装置。
【請求項２】
前記水と反応して発熱する物質が粉体アルミナであり、
前記水と反応して吸熱する物質が尿素である、
請求項１に記載の熱発電型電源装置。
【考案の詳細な説明】
【技術分野】
【０００１】
本考案は熱発電型電源装置に関する。
【背景技術】
【０００２】
従来、電源として代表的なものの１つに乾電池を挙げることができる。特にその重要な用途として、災害時の補助電力が挙げられる。
【特許文献１】特開２００６−１３６１８８号公報（特にフロントページ）
【特許文献２】実開昭６１−１４９３５８号公報（特に第２図およびその説明である「他の実施例」）
【特許文献３】実開昭６１−１４９３５９号公報（特に第１図および実施例）
【考案の開示】
【考案が解決しようとする課題】
【０００３】
しかし、乾電池は自然に放電して消耗するので、必要に迫られたときに必要な電力が取り出せないということも起こる。さらに、近年においては、使用済みの乾電池の廃棄による公害が問題となっている。
【０００４】
この考案はこのような従来の欠点を解消し、信頼性が高い電源装置を提案することを目的とする。
【課題を解決するための手段】
【０００５】
上記課題を解決する電源装置は、水と反応して発熱する物質が配置された第１容器と、水と反応して吸熱する物質が配置された第２タンクと、前記第１タンクと前記第２容器との間に挟まれた熱電変換素子とを備えている。
【０００６】
前記水と反応して発熱する物質が粉体アルミナであり、前記水と反応して吸熱する物質が尿素であることが好ましい。
【考案の効果】
【０００７】
本考案により、乾電池が有する問題点を有さず、かつ信頼性が高い電源装置が提供される。
【考案を実施するための最良の形態】
【０００８】
図１において、ケース１はプラスチックなど断熱性の良好な材料で構成されている。このケース１の内部には、物理化学的な反応を通じて発熱する熱媒体４が袋などの第１容器５ａに詰められた状態で収容されている。そして、この熱媒体４は熱源用水注入口２から水を注ぐことによって反応熱を発生する。
【０００９】
さらに、ケース１内には、物理化学的な反応を通じて吸熱する冷媒体６が袋などの第２容器５ｂに詰められた状態で収容されている。この冷媒体６は、熱電変換素子７を熱媒体４との間に挟んで対向している。冷媒体６は冷媒用水注入口３から水を注ぐことによって吸熱現象を起こす。
【００１０】
熱電変換素子７はＢｉ，Ｔｅから構成される半導体熱電材料により構成されている。そして、この熱電変換素子７は、熱媒体４の発熱作用と冷却体６の吸熱作用によって生じる温度差によって熱起電力を発生する。熱電変換素子７には端子８が形成されている。熱源用水注入口２は熱媒体４で発生する水蒸気の逃げ出し口も兼ねている。
【００１１】
熱源用水注入口２から注がれた水が熱媒体４（例えば粉体アルミナ）に作用すると、両者の間に水酸化発熱反応が起こる。そして、アルミナが水酸化アルミニウムに転ずるときに発熱が生じる。
【００１２】
一方、冷媒用注入口３から注がれた水が冷却体６（例えば尿素）に作用すると、両者の間に反応が起こる。そして尿素が尿素水に転ずるときに負の溶解熱が発生して吸熱する。これによって熱電変換素子７の温接点（ａ側）が加熱され、一方冷接点（ｂ側）は冷却される。このとき両接点間に温度差が生じ、端子８ａ・８ｂの間にはその温度差に応じた熱起電力が現れる。したがって、この端子８ａ・８ｂの間に負荷を接続することによって、電力が取り出される。
【産業上の利用可能性】
【００１３】
この考案では上述のように、熱媒体４および冷却体６がケース１内に熱電変換素子７を挟むようにして収容されているので、水注入時の熱電変換素子７の両側に生ずる温度差が極めて大きくとれ、水の注入だけで発電が簡単に行い得る。しかも熱媒体４も冷却体６も水を注入さえしなければ保存が可能であるため、長期間保存性の観点より、本考案は電源として大きな利点を有している。
【図面の簡単な説明】
【００１４】
【図１】本考案における電源装置の一実施例を示す断面図
【符号の説明】
【００１５】
１・・・ケース、２・・・熱源用水注入口、３・・・冷媒用水注入口
４・・・熱媒体、５ａ、５ｂ・・・容器、６・・・冷却体、７・・・熱電変換素子
８ａ、８ｂ・・・端子                                                                          
【図１】
0003146388.tif 000003
(57)【要約】      （修正有）【課題】和室の部屋にて畳みを傷つけることなくテーブルや椅子を使用するための脚受け具を提供する。【解決手段】長方体であり上面にテーブルまたは椅子の脚を乗せる凹部を設けたことを特徴とする脚受け具。脚受け具の材料は成形が容易で畳に相性がよく反りのない木材を使用し、厚さは２０ｍｍ位で凹部穴の深さは１０ｍｍ位とし、凹部間隔は脚の形状に合わせることが好ましい。【選択図】図１
0003146333.tif 000002
【実用新案登録請求の範囲】
【請求項１】
長方体であり上面にテーブルまたは椅子の脚を乗せる凹部を設けたことを特徴とする脚受け具。
【考案の詳細な説明】
【技術分野】
【０００１】  本考案は、畳の傷つきを防止するための脚受け具に関する。
【背景技術】
【０００２】  畳の部屋での従来のテーブル使用は、畳のうえに敷き物をして使用していた。畳の部屋での椅子を用いての使用は皆無であった。
【考案の開示】
【考案を解決しようとする課題】
【０００３】  本考案の課題は、畳の部屋で使用しても畳みを傷つけることがない脚受け具を開発することにある。
【課題を解決するための手段】
【０００４】  上記の課題を解決するための本考案の受け具においては、
（１）本考案は、畳の傷つきを防止するための脚受け具に関する。
（２）テーブルの脚の受け具は長方形であるがその四方八方を丸く削るとり、畳の縁などがあっても傷がつくのを防止した。
（３）テーブルの脚が受け具から外れないように２脚の脚１組とした。
（４）テーブルの脚の円形または四角大の寸法の凹部を有しテーブル脚を固定した。
【考案の効果】
【０００５】  本考案、テーブルの２脚１組としてのテーブル脚受け具を取り付けたことにより畳の部屋でも畳みにやさしく移動が容易なうえ自由に配置できる。また、椅子の脚がパイプ形を用いれば和室を洋室同様に着席して使用でき和室を有効活用できる。
【考案の実施するための最良の形態】
【０００６】  本考案の、脚受け具１．５の材料は成形が容易で疂に相性がよく反りのない木材を使用し、厚さは２０ｍｍ位で凹部穴の深さは１０ｍｍ位とし、凹部間隔２．３は脚の形状に合わせることが好ましい。
【０００７】  脚受け具１．５は長方体のすべての角は丸みを帯びることにより、脚受け具にテーブルを設置し畳上を移動しても畳や縁に傷をつけることはない。
【０００８】  図２、一方の７の凹部長穴としておくことによって脚の間隔が異なったものに対しても広く使用できる。
【０００９】  以上の説明によって明らかなように、本考案の脚受け具は、以下のように実用上の優れた効果を発揮できる。
脚受け具を取り付けたテーブルは、和室で使用すると畳みや縁に傷をつけることなく移動が容易なうえ、和室の広さに合わせテーブルが配置でき、椅子の脚がパイプ形を用いれば、和室を洋室同様に着席にて使用でき和室を有効活用できる。室内は履き物無しにより衛生的で足、腰に疾患がある利用者は長時間座席できる。
加えて、新たにテーブルを購入しなくとも洋室用テーブルが既存の状態で活用できる。
【図面の簡単な説明】
【００１０】
【図１】脚受け具の針視図及び断面図Ａ
【図２】脚受け具の針視図及び断面図Ｂ
【図３】脚受け具の実施使用図Ａ
【図４】脚受け具の実施使用図Ｂ
【符号の説明】
【００１１】１．４．５．８  脚受け具本体
２．３．６．７  脚受け具本体凹部
９．テーブル
【図１】
0003146333.tif 000003
【図２】
0003146333.tif 000004
【図３】
0003146333.tif 000005
【図４】
0003146333.tif 000006
(57)【要約】      （修正有）【課題】豆腐を手の平に置き包丁で豆腐を切断する作業において、豆腐を保持する側の指先及び手の平を誤って包丁の刃で傷を付ける危険を回避する豆腐用まな板を提供する。【解決手段】手の平で直接、豆腐を保持しないよう、まな板をＬ形にして片手、手の平で持ち、まな板の上で豆腐を切断する。豆腐用まな板は合成樹脂でＬ形に一体成型し、片手で持て、手の平が隠れる大きさであることが望ましい。【選択図】図１
0003146331.tif 000002
【実用新案登録請求の範囲】
【請求項１】
合成樹脂を側面と底面の内角角度９０度のＬ形に一体成型した豆腐用まな板。
【考案の詳細な説明】
【技術分野】
【０００１】この考案は、豆腐の切断に用いる、まな板の形状に関する。
【背景技術】
【０００２】従来のまな板は大きく板状であり、豆腐を切断する作業には不向きで有るため、手の平に豆腐を置き切断作業をしていた。
【考案の開示】
【考案が解決しようとする課題】
【０００３】本考案は、従来、豆腐を手の平に置き包丁で豆腐を切断する作業において、豆腐を保持する側の指先及び手の平を誤って包丁の刃で傷を付ける危険からの回避。
【課題を解決するための手段】
【０００４】以上の課題を解決するため、手の平で直接、豆腐を保持しないよう、まな板をＬ形にして片手、手の平で持ち、まな板の上で豆腐を切断する。
【考案の効果】
【０００５】本考案のまな板をＬ形にする事で豆腐を切断する際、まな板の裏側に手の平が隠れる為、指先及び手の平を傷付ける事が無くなる。
【考案を実施するための最良の形態】
【０００６】この考案の実施形態を、図１に示す。合成樹脂でＬ形に一体成型し、片手で持て、手の平が隠れる大きさである事。
【実施形態の効果】
【０００７】まな板をＬ形にする事で豆腐の側面と底面が安定し、安全に豆腐を切断する事ができる。
【図面の簡単な説明】
【０００８】
【図１】本考案の豆腐用まな板の斜視図
【図２】本考案の豆腐用まな板の使用斜視図
【符号の説明】
【０００９】１  豆腐用まな板
２  豆腐
【図１】
0003146331.tif 000003
【図２】
0003146331.tif 000004
(57)【要約】      （修正有）【課題】中の飲食物が少なくなってくると起き上がってくる器を提供する。【解決手段】器におもり部を設けたことにより、中の飲食物が少なくなってくると器が起き上がり、下のほうに飲食物が集まってくるので飲食することが容易にできる。また、動物の飲食用の器としたとき、水を入れているとき水が少なくなってくると器が起き上がってくるので、水を入れる時機が見て容易にわかりやすい。【選択図】図３
0003146339.tif 000002
【実用新案登録請求の範囲】
【請求項１】
おもり部を設けた器。
【考案の詳細な説明】
【技術分野】
【０００１】  本考案は、おもり部を設けた器に関するものである。
【背景技術】
【０００２】  従来の器は、中の飲食物が少なくなってくると起き上がってくるものはなかった。
【考案の開示】
【考案が解決しようとする課題】
【０００３】  従来は次のような欠点があった。
従来の器は、中の飲食物が少なくなっても起き上がってくるものはなかった。
手の不自由な人には飲食物がスープなどのときには、スープなどが少なくなってきたときにはスプーンですくいにくく不便であった。
また、動物の飲食用の器は水を入れているとき水が少なくなってきたときには、わかりにくく不便であった。
本考案は、上記の欠点を除くためになされたものである。
【課題を解決するための手段】
【０００４】  おもり部を器に設ける。
本考案は、以上のような構成により問題点を解決している。
【考案の効果】
【０００５】  器におもり部を設けたことにより、中の飲食物が少なくなってくると器が起き上がってくるので、下のほうに飲食物が集まってくるので飲食することが容易にできる。
また、動物の飲食用の器としたとき、水を入れているとき水が少なくなってくると器が起き上がってくるので、水を入れる時機が見て容易にわかりやすい。
【考案を実施するための最良の形態】
【０００６】  おもり部を器に設ける。
【実施例】
【０００７】  以下、本考案の実施例について説明する。
おもり部１を器２に設ける。
おもり部１はおもりである。
おもり部１は器２が起き上がるためのものである。
おもり部１はおもさ、大きさ、形状、位置をいろいろにすることにより多種多様にできる。
【図面の簡単な説明】
【０００８】
【図１】  本考案の斜視図である。
【図２】  本考案の側面図である
【図３】  本考案の断面図である。
【図４】  本考案の飲食物が器に入っている状態の斜視図である。
【図５】  本考案の飲食物が器に入っている状態の側面図である。
【図６】  本考案の飲食物が器に入っている状態の断面図である。
【図７】  本考案の底面図である。  各図の各部において主要部以外は省略している。各図の各部において波線以外の部分は省略している。
【符号の説明】
【０００９】１  おもり部
２  器
３  飲食物
４  テーブル
【図１】
0003146339.tif 000003
【図２】
0003146339.tif 000004
【図３】
0003146339.tif 000005
【図４】
0003146339.tif 000006
【図５】
0003146339.tif 000007
【図６】
0003146339.tif 000008
【図７】
0003146339.tif 000009
(57)【要約】      （修正有）【課題】使用する時だけ左右扉を開いて三面鏡として使用し、使用しない時は、左右扉を閉じる。又、化粧台本体内側に棚を設置するなど省スペースを図った開閉式三面化粧台を提供する。【解決手段】開閉式左右扉２，３の扉裏面４，５に鏡を取りつけ、内側扉表面６にも鏡を取りつける。また、スペースの有効活用を図るため、三面化粧台本体内側７に棚板を設置したり、内側扉６の下側をカットして、三面化粧台本体内側７の下側部分に折りたたみ収納式棚を設けてもよい。【選択図】図１
0003146338.tif 000002
【実用新案登録請求の範囲】
【請求項１】
［イ］左右扉裏面（４），（５）、及び内側扉表面（６）に鏡を設置した三面化粧台。
以上のごとく構成された三面化粧台。
【考案の詳細な説明】
【技術分野】
【０００１】本考案は、三面化粧台本体（１）の左右扉裏面（４），（５）と内側扉表面（６）に鏡を取り付けた三面化粧台に関するものである。
【背景技術】
【０００２】従来、３つの表面扉に鏡３枚を取り付けた三面化粧台あった。
【考案の開示】
【考案が解決しようとする課題】
【０００３】（イ）３つの表面扉に鏡３枚を取り付けた三面化粧台は設置する際、鏡三枚分の設置スペースが必要であった。
本考案は、これらの欠点を除くためになされたものである。
【課題を解決するための手段】
【０００４】（イ）開閉式左右扉裏面（４），（５）に鏡を取り付ける。
（ロ）開閉式内側扉表面（６）に鏡を取り付ける。
（ハ）三面化粧台本体内側に自由に棚板を設置できる。
（ニ）内側扉（６）の下側をカットして、三面化粧台本体内側の下側部分に折りたたみ収納式棚を設ける。
【考案の効果】
【０００５】（イ）本考案の三面化粧台（１）を使用する時だけ左右扉を開いて三面鏡として使用し、使用しない時は左右扉を閉じておく為に狭い場所に設置することができる。
（ロ）三面化粧台（１）を使用しない状態の時は左右扉を閉じておくので左右扉は表面（２），（３）になっている。左右扉表面（２），（３）は色々な細工をする事ができ、周りの壁や設置する場所との調和を摂ることができる。
【考案を実施するための最良の形態】
【０００６】以下、本考案の実施例について説明する。
（イ）三面化粧台（１）に観音開き式の左右扉を取り付け左右扉裏面（４），（５）に鏡を取り付ける。
（ロ）内側扉表面（６）に鏡を取り付ける。
【図面の簡単な説明】
【０００７】
【図１】本考案の斜視図、である。
【符号の説明】
【０００８】１  三面化粧台本体
２  右側扉表面
３  左側扉表面
４  左側扉裏面
５  右側扉裏面
６  内側扉表面
７  三面化粧台本体内側
【図１】
0003146338.tif 000003
0003146338.tif 000004
(57)【要約】      （修正有）【課題】バイクヘルメット風防部に電動ワイパーを取り付け、雨天時の水滴を除去し、見通しを良くすることで事故の未然防止を図ることのできるバイクヘルメットワイパーを提供する。【解決手段】バイクヘルメット１及びバイクヘルメット風防部２よりなるバイクヘルメットにおいて、該風防部２上に、バイクヘルメットワイパーモーター部３、スイッチ部４及びワイパー部５を設置する。【選択図】図１
0003146336.tif 000002
【実用新案登録請求の範囲】
【請求項１】
バイクのヘルメット風防部分に電動のワイパーを取付け雨天時の運転時の視界を良好にして危険を防止するバイクヘルメットワイパー。
【考案の詳細な説明】
【技術分野】
【０００１】本案は上記のごとくして、１図に示すごとく、バイクヘルメット部１、バイクヘルメット風防部２、バイクヘルメットワイパーモーター部３、スイッチ部４、ワイパー部５、の考案である。
【考案の開示】
【考案が解決しようとする課題】
【０００２】本案は、雨天時バイクを運転する時にヘルメット風防部に水滴が溜まり見通しが悪くなり事故を起こすことが多かった。
【課題を解決するための手段】
【０００３】本案は、バイクヘルメット風防部に電動ワイパーを取付け、雨天時の水滴の溜まりを除去する考案である。
【考案の効果】
【０００４】本案は、雨天時にバイクを運転する時、ヘルメット風防部に水滴が溜まり見通しが悪くなり事故を起こすことが多かったのを、バイクヘルメット風防部に電動ワイパーを取付けることにより見通しが良くなり近年に多発している人身事故を防ぎ、極めて安全な運転をする事が出来る等その益する所甚だ大である。
【図面の簡単な説明】
【０００５】
【図１】バイクヘルメット全体図
【図２】バイクヘルメット風防部図
【符号の説明】
【０００６】１．      バイクヘルメット部
２．      バイクヘルメット風防部
３．      バイクヘルメットワイパーモーター部
４．      スイッチ部
５．      ワイパー部
【図１】
0003146336.tif 000003
【図２】
0003146336.tif 000004
(57)【要約】      （修正有）【課題】軟弱地における走行やアタッチメントを連結した管理機が沈下して進行しない事態を解消する管理機のロータリ爪を提供する。【解決手段】センターケース７の左右に張出するロータリ軸８に複数列でロータリ爪９を取り付けた管理機のロータリ爪において、左右のロータリ軸のセンターケース側の列にロータリ爪と略同じ半径を有して各々の半径が同じのＬ字形アングル材１３を取り付ける。【選択図】図１
0003146362.tif 000002
【実用新案登録請求の範囲】
【請求項１】
センターケースの左右に張出するロータリ軸に複数列でロータリ爪を取り付けた管理機のロータリ爪において、左右のロータリ軸のセンターケース側の列にロータリ爪と略同じ半径を有して各々の半径が同じのＬ字形アングル材を取り付けたことを特徴とする管理機のロータリ爪。
【請求項２】
ロータリ爪がロータリ軸に取り付けられた取付けブラケットにボルトで締め付けられるものであり、Ｌ字形アングル材がロータリ爪とボルトで共締めされるものである請求項１の管理機のロータリ爪。
【請求項３】
Ｌ字形アングル材がロータリ爪の数と同じに設けられる請求項１又は２の管理器のロータリ爪。
【考案の詳細な説明】
【技術分野】
【０００１】
本考案は、管理機のロータリ爪に関するものである。
【背景技術】
【０００２】
管理機のロータリ爪は、走行機能と耕耘機能とを併せ持つものであり、耕耘に際しては抵抗棒を土中に突き刺して耕耘を行う。しかし、軟弱地の耕耘においては、抵抗棒を使用しなくても、機体の重量によってロータリ爪が沈下し、ロータリ爪はその場で回転するのみで、推進しないことがある。特に、培土器を連結したものでは、その抵抗によって全然進まないといったことがある。このため、下記特許文献１には、ロータリ軸をともに強制回転させられる内外二重軸にしてその内側の軸に撹拌翼が付いたサイドディスクを取り付け、この回転数制御によって推進力を調整するものが提案されている。しかし、このような構成によると、伝動系が複雑になり、価格も高いものになる。
【特許文献１】特開２００１−６９８０３号公報
【考案の開示】
【考案が解決しようとする課題】
【０００３】
本考案は、このような課題に対処したものであり、安価な部材を取り付けるのみで、軟弱地でも推進できるようにしたものである。
【課題を解決するための手段】
【０００４】
以上の課題の下、本考案は、請求項１に記載した、センターケースの左右に張出するロータリ軸に複数列でロータリ爪を取り付けた管理機のロータリ爪において、左右のロータリ軸のセンターケース側の列にロータリ爪と略同じ半径を有して各々の半径が同じのＬ字形アングル材を取り付けたことを特徴とする管理機のロータリ爪を提供するとともに、これにおいて、請求項２の、ロータリ爪がロータリ軸に取り付けられた取付けブラケットにボルトで締め付けられるものであり、Ｌ字形アングル材がロータリ爪とボルトで共締めされる手段、請求項３の、Ｌ字形アングル材がロータリ爪の数と同じに設けられる手段を提供する。
【考案の効果】
【０００５】
請求項１の手段によると、Ｌ字形アングル材が回転することによって地面からの反作用で推進力を得られるものになり、軟弱地であっても、推進力が発生する。この場合、Ｌ字形アングル材をロータリ爪と略同じ半径を有して各々の半径が揃ったものにしておくことで、これを付けたままで路上走行も可能になる。そして、Ｌ字形アングルは市販されていて安価であるから、コスト高を招かない。請求項２の手段によると、ロータリ爪の取付構成そのままで取り付けることができるし、取付け操作も簡単である。請求項３の手段によると、推進力はより高いものが得られる。
【考案を実施するための最良の形態】
【０００６】
以下、本考案の実施の形態を図面を参照して説明する。図１は管理機の側面図、図２はロータリ部の後面図であるが、管理機は、周知のように、フレーム１にエンジン２やミッション３からなる機体部４を取り付け、これに後延するハンドル５を取り付けたものである（６は培土器）。ミッション３にはフレーム１の下方に続くセンターケース７が設けられており、センターケース７の下端には強制回転させられる軸が左右に張出していてロータリ軸８を形成している。
【０００７】
そして、ロータリ軸８にロータリ爪９が取り付けられている。本例のロータリ爪９は、ロータリ軸８に取付筒１０を外挿し、取付筒１０にそれぞれ内外二列で取付けブラケット１１を取り付けており、この取付けブラケット１１にボルト１２で締め付けられて固定されるようにしている。なお、本例のロータリ爪８は、片側の取付筒１０の各例に４本で都合８本、左右合計で１６本取り付けられている。
【０００８】
本考案は、以上の取付筒１０にＬ字形アングル材（以下、アングル材）１３を取り付けたものである。アングル材１３は断面がＬ字形をした市販されている通常のものでよく、これをボルト１２でロータリ爪９と共締めしたものである。したがって、アングル材１３にはボルト１２を通す孔をあけただけでよく、非常に低コストなものになる。この場合、アングル材１３は取付けブラケット１１ごとに取り付けてもよいが、左右の取付筒１０とも、センターケース７側の取付けブラケット１１に取り付ければ十分である。また、アングル材１３の長さはロータリ爪９の半径と同じ程度でよいが、各々の長さ（半径）が同じであるのが適する。また、アングル材１３の本数はこだわらないが、ロータリ爪９の数と同じにすれば、推進力がより強くなる。
【０００９】
以上により、耕耘作業をするが、耕耘圃場が軟弱地のような場合は、このアングル材１３を取り付けることで、推進力が向上する。なお、アングル材１３の取付けは軟弱地に限らず、通常硬さの土壌であってもよい。この場合は推進力が大きくなるが、抵抗棒（図示省略）で調整すればよい。また、路上走行のときもこのアングル材１３を取り付けたままにしておいてもよい。この場合、アングル材１３の半径はロータリ爪９の半径と略同じで各々の長さを揃えておけば、よりスムーズな走行ができる。
【図面の簡単な説明】
【００１０】
【図１】管理器の側面図である。
【図２】管理器のロータリ部の後面図である。
【符号の説明】
【００１１】
１    フレーム
２    エンジン
３    ミッション
４    機体部
５    ハンドル
６    培土器
７    センターケース
８    ロータリ軸
９    ロータリ爪
１０  取付筒
１１  取付けブラケット
１２  ボルト
１３  Ｌ字形アングル材
【図１】
0003146362.tif 000003
【図２】
0003146362.tif 000004
(57)【要約】      （修正有）【課題】コンセントにたくさんの差し込みプラグが差し込まれている場合にあっても、抜く時にどの製品の物か容易に判別可能な、差し込みプラグを提供する。【解決手段】差し込みプラグ１の握り部分に、製品名（種類名）２を直接印字するか、製品名２が入ったシールを貼る。更に夜光塗料を文字部分に塗れば薄暗い所でもわかり、シールや文字を温度が上がると色が変化する物にすれば、ちりがたまって起こる事故（トラッキング火災）なども防ぐ事も可能である。【選択図】図１
0003146311.tif 000002
【実用新案登録請求の範囲】
【請求項１】
握り部分に，製品（種類）の名称を入れた差し込みプラグ．
【請求項２】
夜光塗料を文字部分に塗ったり，文字やシールを温度が上がると色が変化する素材を使用した，請求項１記載の名称入り差し込みプラグ．
【考案の詳細な説明】
【背景技術】
【００１】従来、コンセントにたくさんの差し込みプラグが，差し込まれている場合，抜く時どの製品の物かわからなかった．
【課題を解決する手段】
【００２】そこで差し込みプラグの握り部分に，製品名（種類名）を入れたり，製品名が入ったシールを貼った．
【考案の効果】
【００３】よって本考案はプラグに製品名称が入った事で，抜く時のわずらわしさがなく，夜光塗料を文字部分に塗れば薄暗い所でもわかり，シールや文字を温度が上がると色が変化する物にすれば，ちりがたまって起こる事故（トラッキング火災）なども防ぐ事も可能である．又プラグ自身に文字を印刷した場合，シールや札を付けた時に比べ，外れたりしない．
【考案を実施するための最良の形態】
【００４】本考案は図に示す通り，差し込みプラグ１にシールや直接印字した，製品名称２を入れたものである．
【符号の説明】
【００５】１  差し込みプラグ
２  製品名称又は製品名称が入ったシール
【図１】
0003146311.tif 000003
【手続補正書】
【提出日】平成20年8月15日(2008.8.15)
【手続補正１】
【補正対象書類名】実用新案登録請求の範囲
【補正対象項目名】全文
【補正方法】変更
【補正の内容】
【実用新案登録請求の範囲】
【請求項１】
握り部分に，製品名称を入れた差し込みプラグ．
【請求項２】
夜光塗料を文字部分に塗ったり，文字やシールを温度が上がると色が変化する素材を使用した，請求項１記載の名称入り差し込みプラグ．
【手続補正２】
【補正対象書類名】明細書
【補正対象項目名】全文
【補正方法】変更
【補正の内容】
【考案の詳細な説明】
【背景技術】
【００１】従来、コンセントにたくさんの差し込みプラグが，差し込まれている場合，抜く時どの製品の物かわからなかった．
【課題を解決する手段】
【００２】そこで差し込みプラグの握り部分に，製品名（種類名）を入れたり，製品名が入ったシールを貼った．
【考案の効果】
【００３】よって本考案はプラグに製品名称が入った事で，抜く時のわずらわしさがなく，夜光塗料を文字部分に塗れば薄暗い所でもわかり，シールや文字を温度が上がると色が変化する物にすれば，ちりがたまって起こる事故（トラッキング火災）なども防ぐ事も可能である．又プラグ自身に文字を印刷した場合，シールや札を付けた時に比べ，外れたりしない．
【考案を実施するための最良の形態】
【００４】本考案は図に示す通り，差し込みプラグ１にシールや直接印字した．製品名称２を入れたものである．
【図面の簡単な説明】
【００５】
【図１】平面図
【符号の説明】
【００６】１  差し込みプラグ
２  製品名称又は製品名称が入ったシール
(57)【要約】      （修正有）【課題】造花を入れる楽しみや見る楽しみなどの効果があるスリッパを提供する。【解決手段】先端の部分が空いているスリッパを使用する。先端部分に右・中央・左と縦に点線を引き、切込みを入れて、スリッパの上部を二ヶ所折り曲げて端を固定し、Ｍの円形状にすることで、その部分に造花の差し入口が出来上がる。【選択図】図２
0003146316.tif 000002
【実用新案登録請求の範囲】
【請求項１】
スリッパの先端の空いている部分に、中央・右・左と縦に切り込みを入れ二ヶ所上部に折り曲げて、内側がＭの円形の造花差し入口を設けたスリッパ。
【考案の詳細な説明】
【技術分野】
【０００１】  本考案は、前の部分が空いているスリッパの上部に、造花差し入口を設けたスリッパに関するものである。
【背景技術】
【０００２】  スリッパ本体の上部に造花差し入口を設けたスリッパは家庭でも公共の場においても使用することはなかった。
【考案の開示】
【考案が解決しようとする課題】
【０００３】  スリッパ本体の上部に造花差し入口を設ける工法をする。造花差し入口の内部がＭの円形が最良である。
【課題を解決するための手段】
【０００４】  本考案は、先端の部分が空いているスリッパを使用する。先端部分に右・中央・左と縦に点線を引き、切込みを入れて、スリッパの上部に二ヶ所折り曲げると造花差し入口が出来上がる。折り曲げた差し入口の内側がＭの円形の状態で端をホッチキス等で固定する。以上の工程より課題を解決したのである。
【考案の効果】
【０００５】  本考案は、スリッパ本体の上部に造花差し入口を設けたので、造花を入れる楽しみ、見る楽しみ等の効果がある。作業工程がわかりやすいので障害を持つ人達でも作れるスリッパである。万人に趣味として活用できる効果がある。
【考案を実施するための最良の形態】
【０００６】  本考案に係るスリッパは図２に示す様に先端の空いたスリッパの上部に、Ｍの円形の造花差し入口を設けたものである。差し入口がＭの円形なので図３の様に造花を差し入れた時、花の枝が静止する。これが最良の形態であります。
【実施例】
【０００７】  以下は添付図面に従って実施例を説明する。１はスリッパの先端に切り込み用の点線を引いた図。２は点線を切り込み、スリッパ上部に二ヶ所折り曲げ、造花の差し入口の内側がＭの円形の状態でホッチキス等で固定した実施図。３はスリッパの上部の造花
【産業上の利用可能性】
【０００８】  作業工程をわかりやすく図１点線を引く。図２上部に折り曲げる。図３造花を入れる等誰でも作業工程の一部が出来る。障害を持つ人達の小さな産業の進歩と進化の始まりであることを希望して考案されたものである。万人の趣味としての利用もある。
【図面の簡単な説明】
【０００９】
【図１】スリッパに点線を引いた図
【図２】スリッパに造花差し入口を設けた正面図
【図３】造花を差し入れた正面図
【符号の説明】
【００１０】１  切り込み用点線
２  造花差し入口
３  Ｍの円形に差し入れた造花
【図１】
0003146316.tif 000003
【図２】
0003146316.tif 000004
【図３】
0003146316.tif 000005
(57)【要約】【課題】  本考案は、除細動装置ＡＥＤと液晶モニタ−のナビゲ−ション装置を一体に収納できる収納ケ−ス本体を設け、ＡＥＤの必要性、使用方法と広告、宣伝等を放映する。【解決手段】  本考案は収納ケ−ス本体１にＡＥＤの収納部９と上部にナビ２を設け、蓋体４に取っ手６を付け蝶番５で開閉自在にし、ケ−ススタンド７に載せ見易い位置に固定する、メモリ−カ−ド１０をセットしナビの手動操作パネル３とリモコン８により放映順を自在にし、ＡＥＤの必要性、使用方法を定期的に放映し、且つ導入企業による社会貢献のイメ−ジアップと広告、宣伝を有効に活用するメリットが大きく、多くの場所への普及促進に役立つ。【選択図】図１
0003146318.tif 000002
【実用新案登録請求の範囲】
【請求項１】
除細動装置ＡＥＤの収納ケ−ス本体にＡＥＤ収納室を儲け、前面の蓋板を蝶番で開閉自在にして、その上部に液晶モニタ−のナビゲ−ション装置を一体に設け、ケ−ススタンドに載せ固定し、メモリ−カ−ドで定期的にＡＥＤの使用方法と導入企業等の広告、宣伝、イベント情報、時間設定、構成順序、をリモコンとナビ本体のパネル操作により放映自在にしたところを特徴とするナビ付ＡＥＤ収納ケ−ス。
【考案の詳細な説明】
【技術分野】
【０００１】  本考案は、除細動装置ＡＥＤの収納ケ−ス本体にＡＥＤ収納室と上部にナビゲ−ション装置を設け、スタンドに載せ固定した収納ケ−スに関するものである。
【背景技術】
【０００２】  空港、駅、デパ−ト、ス−パ−、コンビニその他の多人数が利用する場所で、突然に心肺停止した重症者にＡＥＤの緊急使用を必要としても設置場所を探し、また、その使用方法にも不慣れで、病院に到着時死亡ＤＯＡ９７％にもなっていた。
【考案の開示】
【考案が解決しようとする課題】
【０００３】  設置場所が分からず探しまわるのは時間的負担になり、また、重症者のダメ−ジが大きくなる、さらに、その使用方法に不慣れで不安がある場合精神的負担である。従ってＡＥＤとナビゲ−ション装置を収納ケ−スで一体化することにより設置場所、使用方法も事前に理解でき、その場に居合わせた人たちも積極的に救護の協力が可能となりＤＯＡを減少させ、前述の欠点を解決しようとするものである。
【課題を解決するための手段】
【０００４】  本考案は、ＡＥＤを収納するＥＡＤ収納ケ−ス本体を儲け、その前面を蝶番にて蓋体が開閉し、その上部に液晶モニタ−のナビゲ−ション装置を一体に設け、専用ケ−ススタンドに載せ固定する。メモリ−カ−ドによりＡＥＤの必要性と使用方法を定期的に放映し、導入企業の広告、宣伝、情報、イベント、等をリモコンと手動で放映自在にし、メリットが大きく普及促進でき問題点を解決している。
【考案の効果】
【０００５】  上述のように、本考案のナビ付ＡＥＤ収納ケ−ス本体は、通常にＡＥＤを収納し使用することは勿論、上部に設置するナビゲ−ションと一体化する事により設置場所が確認できるのは勿論その必要性、使用方法が理解され、心肺停止の重症者を素早く的確に蘇生させるようになりＤＯＡを減少できる、しかも導入企業の社会貢献のイメ−ジアップと広告、宣伝、情報等によるメリットが大きく、デパ−ト、ス−パ−、コンビニ等、色々な場所に普及促進として役立つ。
【考案の実施するための最良の形態】
【０００６】  ケ−ス本体のＡＥＤ収納室の蓋体は取っ手と蝶番にて片方に開閉し出し入れを自在にし、上部の液晶モニタ−のナビゲ−ション装置と一体に設置し、ケ−ススタンドに載せ床、壁にビスで固定する、１００Ｖ電源をセットし配線工事は必要としない、ナビ本体の前面の手動操作パネルとリモコンで、放映時間設定、順序入れ替え、を自在にしている、メモリ−カ−ドは随時差し替えが可能で、ＡＥＤの必要性、使用方法を定期的に放映し、導入企業の社会貢献のイメ−ジアップと、広告、宣伝、情報、等効果のメリットが大きく、多くの場所に普及促進するように小型収録のメモリ−カ−ドにしている。
【実施例】
【０００７】  以下、添付図面に従って一実施例を説明する。１は耐久性プラスチック及び木材、鉄板等の適宜素材にて箱型に形成及び組み立て加工された収納ケ−ス本体、２は１５インチ液晶モニタ−のナビゲ−ション装置で歩行時に見易い位置の上部に設置しビスで固定している、３はナビゲ−ション装置の手動操作パネルで放映番組の順序操作ができ、４はＡＥＤを収納する前面の蓋体で、６の取っ手と５の蝶番で開閉自在にして出し易くしている、７のケ−ススタンドは取っ手が付いた蓋体の物入れボックスで収納ケ−ス本体を載せビスで固定し壁面またはスタンド下部を床面に固定する。【０００８】  ８はナビのリモコンで放映順序の入れ替や時間設定等、全ての操作が可能で、９はＡＥＤ収納室で常時使用できるようにしている、１０はメモリ−カ−ドで簡易に持ち運べるように小型化している。【０００９】  本考案の一実施例は上述の如き構成からなるものであるから、収納ケ−ス本体１はＡＥＤを収納するケ−スとして用いることは勿論であるが、２のナビ装置を上部に設置し、７のケ−ススタンドに載せ一体化し、見易い場所でＡＥＤの必要性、使用方法が広く理解されるようにしている。
【図面の簡単な説明】
【００１０】
【図１】本考案のナビ付ＡＥＤ収納ケ−スの斜視図である。
【図２】本ＡＥＤ収納ケ−ス本体の側面図である。
【符号の説明】
【００１１】  １    収納ケ−ス本体
２    ナビゲ−ション装置
３    手動操作パネル
４    蓋体
５    蝶番
６    取っ手
７    ケーススタンド
８    リモコン
９    ＡＥＤ収納室
１０  メモリ−カ−ド
【図１】
0003146318.tif 000003
【図２】
0003146318.tif 000004